(57)【特許請求の範囲】
【請求項１】
中水道に接続されて中水を所定水位まで導入可能なボールタップと、下端を便器側に連通して立設されたオーバーフロー管を内部に備えたロータン本体の上面に、
上水道に接続された水栓から上水を給水可能で、底側に前記ロータンク本体側へ開口した排水口を有する手洗器付き蓋を覆設してなるロータンクにおいて、
前記オーバーフロー管の上端に差し込み状に取り付けられる漏斗部が一体形成されて前記手洗器付き蓋の排水口から流下する上水を前記オーバーフロー管内へ流し込むことのできる水受部材が、前記ロータンク本体の内周側に設けられたインナータンクの上面に蓋として予め覆設されていることを特徴とするロータンク構造。
【発明の詳細な説明】
【０００１】
【産業上の利用分野】
この発明は、ロータンクの構造に関するものである。
【０００２】
【従来の技術及びその課題】
従来、中水仕様のロータンク１は、図５の正面内部構造図で、また図６の側面内部構造図で示すように構成されている。
即ち、ロータンク本体２の上面には手洗器付き蓋３が覆設されており、この手洗器付き蓋３内に上水を供給できる水栓４がトイレ等の壁面に図示しない上水管に接続されて設けられている。
一方、ロータンク本体２内に設けられたボールタップ５は、再利用水である中水を流す図示しない中水管に接続されて、ロータンク本体２内に中水を供給できるように構成されており、フロート６により一定水位まで中水がロータンク本体２内に溜められるように構成されている。また、ロータンク本体２の底面には、便器側へ連通して開口された排出口８が形成されており、この排出口８には開閉可能にボール弁９が設けられており、排出口８と連通して立ち上げ状にオーバーフロー管７が立設されている。
【０００３】
このような中水仕様のロータンク１において、前記手洗器付き蓋３の排水口３ａから大量に上水がロータンク本体２内に流下されると、ロータンク本体２内の水位が上がり、これにより、フロート６がボールタップ５内の止水パッキンを過度に押し付け、止水パッキンの劣化を促進させることとなる。この劣化の促進を防ぐ目的で、手洗器付き蓋３から流下する上水を便器側へ排出させるために、手洗器付き蓋３の底面の排水口３ａにはゴム管５０がクリップ５１で接続されており、このゴム管５０の下端が前記オーバーフロー管７の上端側に差し込まれて、このゴム管５０を介し手洗器付き蓋３側から流下する上水をオーバーフロー管７内へ流し込んで便器側へ逃がすように構成されている。
【０００４】
しかし、この従来構造では、ロータンク本体２上に手洗器付き蓋３を載置させる際に、前記ゴム管５０の下端をオーバーフロー管７の上端側に差し込む必要があり、ゴム管５０をオーバーフロー管７に差込みにくいという問題点があった。また、ゴム管５０の差込み不良などによりゴム管５０が折れ曲がり、手洗器付き蓋３からの上水が流れなくなる可能性もあった。また、ゴム管５０をクリップ５１等で予め手洗器付き蓋３の排水口３ａに固定しておく必要があり、施工が面倒であるという問題点があった。
【０００５】
【課題を解決するための手段】
本発明は上記従来の問題点に鑑み案出したものであって、手洗器付き蓋から上水を良好にオーバーフロー管内に流し込むことができ、また、施工が容易となるロータンク構造を提供せんことを目的とし、その要旨は、中水道に接続されて中水を所定水位まで導入可能なボールタップと、下端を便器側に連通して立設されたオーバーフロー管を内部に備えたロータン本体の上面に、上水道に接続された水栓から上水を給水可能で、底側に前記ロータンク本体側へ開口した排水口を有する手洗器付き蓋を覆設してなるロータンクにおいて、前記オーバーフロー管の上端に差し込み状に取り付けられる漏斗部が一体形成されて前記手洗器付き蓋の排水口から流下する上水を前記オーバーフロー管内へ流し込むことのできる水受部材が、前記ロータンク本体の内周側に設けられたインナータンクの上面に蓋として予め覆設されていることである。
【０００６】
【実施例】
以下、本発明の実施例を図面に基づいて説明する。
図１は、中水仕様のロータンクの正面内部構造図であり、また、図２は側面内部構造図である。なお、前記従来例と同一部材については同一符号を付して、その詳細な説明は重複するため省略し、主要な部分のみを重点的に説明する。
【０００７】
即ち、図１及び図２に示すロータンク１においては、水受部材１０をロータンク本体２の上面側に設けて、この水受部材１０には垂下状に漏斗部１０ａを形成させておき、この漏斗部１０ａをオーバーフロー管７の上端側に差し込むことができるように形成しておくことができ、この水受部材１０は樹脂等で形成させて、ロータンク本体２の上面と手洗器付き蓋３の下面間で挟み付ける等して良好に設置することができるものであり、手洗器付き蓋３の底側の排水口３ａから下方側へ流下する上水を、良好にこの水受部材１０で受け止めて、漏斗部１０ａを通しオーバーフロー管７内に良好に流し込むことができ、オーバーフロー管７を通して排出口８から便器側に上水を逃がして、上水がロータンク本体２内に流下することを良好に防ぐことができる。
【０００８】
このような水受部材１０はロータンク本体２の上面に予め覆蓋状に取り付けておき、その上から手洗器付き蓋３を載せて押さえ付けて固定することができる他に、予め手洗器付き蓋３の下面側にこの水受部材１０を取り付けておくこともでき、また別の例としては、水受部材１０を手洗器付き蓋３の下面に一体形成させておくこともでき、手洗器付き蓋３をロータンク本体２の上面に載せるだけで、水受部材１０の漏斗部１０ａを確実にオーバーフロー管７の上端側に差し込むことが可能となり、施工が容易なものとなる。即ち、従来のようにゴム管５０を手洗器付き蓋３に取り付ける手間がかからず、また、ゴム管５０の折れ等を気にすることなく、確実に水受部材１０をオーバーフロー管７に接合させて、手洗器付き蓋３から流下する上水をオーバーフロー管７を通し便器側へ排水することができるものである。
【０００９】
なお、漏斗部１０ａが差し込まれるオーバーフロー管７の上端側は、漏斗部１０ａが差し込まれる分だけ拡径させておく必要があり、中水仕様ではオーバーフロー管７の上端側は拡径するように決められているが、オーバーフロー管７の上端側を拡径させて形成した場合には、ボール弁９を交換する際等に取り外すことが困難となるため、例えば図３に示すように、オーバーフロー管７の上端側を着脱可能な構造とすることができる。
【００１０】
即ち、図３では、オーバーフロー管７の上端に、別体で形成した上端着脱部材７１が嵌合状に同軸で取り付けられており、この上端着脱部材７１は、オーバーフロー管７よりも内径が拡大した拡径部７１ａの下部に、漏斗状に傾斜した傾斜部７１ｂが一体形成され、この傾斜部７１ｂの下端面が前記オーバーフロー管７の上端面に当接する当接面７１ｃを形成しており、この当接面７１ｃの内側には垂下状に内垂下片７１ｄが一体形成されており、この内垂下片７１ｄの下端外周には、オーバーフロー管７の内周面と摺接するシール用のオーリングＯが嵌め込まれたものとなっている。また、この内垂下片７１ｄと平行状に外側に外垂下片７１ｅが垂設されており、この外垂下片７１ｅの下端には、内側へ突出して係止爪７１ｆが一体形成されたものとなっている。
【００１１】
予めオーバーフロー管７の上端側外周に凹み状に凹部７ａを形成させておき、この凹部７ａ内に係止爪７１ｆが嵌まり込むように形成させておけば、オーバーフロー管７の上端側に別体の上端着脱部材７１を容易に嵌め込んで固定できるものとなる。この上端着脱部材７１はボール弁９等の交換作業時とかメンテナンス時には、上方へ引き抜いて取り外し、メイテナンス等を容易に行うことができるものとなる。
【００１２】
次に、図４は変更例を示すものであり、図４では、ロータンク本体２の内周側にインナータンク２１が設けられ、このインナータンク２１の外周側には防露材１１が貼着されたものとなっている。また、図４では、手洗器付き蓋３に水栓４が取り付けられており、水栓４のハンドル４ａを操作することにより上水を手洗器付き蓋３内に供給できるように構成されている。この水栓４には、上水を通す上水管１４が接続されている。また、ボールタップ５は、インナータンク２１とロータンク本体２間に配設された中水管１５に接続されて、中水がインナータンク２１内に流入され、溜められるように構成されている。
【００１３】
本例においては、このインナータンク２１の蓋に漏斗部１０ａを一体形成させて、インナータンク２１の蓋を兼用した水受部材１０を設けたものであり、水受部材１０は予めインナータンク２１の上面に覆設させておき、漏斗部１０ａをオーバーフロー管７の上端の上端着脱部材７１の拡径部７１ａ内に差込み状に取り付けておくことができ、ロータンク本体２の上方に手洗器付き蓋３を載せるだけで簡単に施工することができるものとなり、施工時間が短縮されるものであり、施工後には手洗器付き蓋３内の上水を排水口３ａから水受部材１０の漏斗部１０ａを通して確実にオーバーフロー管７内に流し込んで便器側へ排出することができるものとなる。
【００１４】
【発明の効果】
本発明は、中水道に接続されて中水を所定水位まで導入可能なボールタップと、下端を便器側に連通して立設されたオーバーフロー管を内部に備えたロータン本体の上面に、上水道に接続された水栓から上水を給水可能で、底側に前記ロータンク本体側へ開口した排水口を有する手洗器付き蓋を覆設してなるロータンクにおいて、前記オーバーフロー管の上端に差し込み状に取り付けられる漏斗部が一体形成されて前記手洗器付き蓋の排水口から流下する上水を前記オーバーフロー管内へ流し込むことのできる水受部材が、前記ロータンク本体の内周側に設けられたインナータンクの上面に蓋として予め覆設されていることにより、インナータンクの蓋を兼用した水受部材を予めインナータンクの上面に覆設させておけば、手洗器付き蓋を載せるだけで簡単に施工が完了し、施工時間が短縮され、施工後には手洗器付き蓋内の上水を排水口から水受部材の漏斗部を通して確実にオーバーフロー管内に流し込んで便器側へ排出することができるものとなる。
【図面の簡単な説明】
【図１】  第１実施例の中水仕様のロータンクの正面内部構造図である。
【図２】  図１の側面内部構造図である。
【図３】  オーバーフロー管の上端に上端着脱部材を取り付けた状態の拡大半断面構成図である。
【図４】  第２実施例の中水仕様の二重ロータンクの正面内部構造図である。
【図５】  従来の中水仕様のロータンクの正面内部構造図である。
【図６】  図５の側面内部構造図である。
【符号の説明】
１  ロータンク
２  ロータンク本体
３  手洗器付き蓋
３ａ  排水口
４  水栓
５  ボールタップ
６  フロート
７  オーバーフロー管
７ａ  凹部
８  排出口
９  ボール弁
１０  水受部材
１０ａ  漏斗部
１１  防露材
１４  上水管
１５  中水管
２１  インナータンク
７１  上端着脱部材
７１ａ  拡径部
７１ｂ  傾斜部
７１ｃ  当接面
７１ｄ  内垂下片
７１ｅ  外垂下片
７１ｆ  係止爪
Ｏ  オーリング
【図１】
0003674405.tif 000002
【図２】
0003674405.tif 000003
【図３】
0003674405.tif 000004
【図４】
0003674405.tif 000005
【図５】
0003674405.tif 000006
【図６】
0003674405.tif 000007